(57)【特許請求の範囲】
【請求項１】
画像データを登録データとして格納する記憶部と、画像データを受けて印刷出力する印刷部と、第１および第２の二つの画像データを受けて所定位置に合成した合成データを作成する画像合成部と、受けた画像データに透かし処理を施行する透かし処理部と、前記第１の画像データを受けた際には前記登録データとして前記記憶部に登録して格納し、透かし処理要求を伴った画像データを受けた際には当該画像データを前記透かし処理部により透かし処理を行って前記第１の画像データに作成して前記記憶部に登録格納し、前記第２の画像データを受けた際には前記記憶部から前記登録データを読み出し，当該登録データを受けた第２の画像データと共に前記画像合成部へ送り、返送された合成データを第３の画像データとして前記印刷部へ送る制御部とを備えることを特徴とする複写システム。
【請求項２】
請求項１において、前記制御部は、前記画像データを、情報処理装置およびスキャナのいずれか一方から受けることを特徴とする複写システム。
【請求項３】
請求項１において、前記制御部は、登録処理要求の指定を伴って受けた画像データを前記第１の画像として前記記憶部に登録し格納し、かつ、基本原稿読込み要求の指定を伴って受けた画像を前記第２の画像データとすることを特徴とする複写システム。
【請求項４】
請求項１において、前記制御部は、前記記憶部に一つの第１の画像データを登録データとして格納したのち、複数の第２の画像データを基本データとして順次受ける場合には、前記登録データを前記記憶部から読取り、前記基本データを受ける都度、読み取った登録データを合成して順次印刷出力することを特徴とする複写システム。
【請求項５】
請求項１において、前記制御部は、前記記憶部に複数の第１の画像データを登録データとして格納する際にはそれぞれのデータに識別符号を付し、第２の画像データを基本データとして受ける際には、前記識別符号により前記登録データの中から合成する画像データを選択することを特徴とする複写システム。
【発明の詳細な説明】
【０００１】
【発明の属する技術分野】
本発明は、二つの画像データを入力し、合成した一つの画像データを印刷出力する複写システムに関し、特に、基本の画像データに透かしデータを簡単で容易に埋め込むことができる複写システムに関する。
【０００２】
【従来の技術】
従来、この種の複写システムでは、例えば、特開昭５８−２１７８１号公報に開示される複写機を利用したコンピュータ情報の処理システムがある。このシステムでは、コンピュータが、第１の画像情報を、読取り機能を有する複写機にマークを付して送り、複写機でこのマークの位置に別に処理される第２の画像情報を合成したのち、コンピュータで読み取ることができる。従って、複雑な画像処理を複写機の記録機能を利用して記録紙上に記録できるので、コンピュータの知識がなくても画像データの処理が可能になる。
【０００３】
また別に、例えば、特開平３−６５９６８号公報に開示された情報記録装置がある。この記録装置は、主の画像情報の画面内に任意画面領域を指定して別の画像情報を露光して追加記録するものであって二つの画像情報の露光量を相対的に変化させている。従って、追加による合成記録の際の相対的な場所の移動が容易に迅速にできる。
【０００４】
更に別に、特開平２０００−２５２７８号公報に開示された印刷制御方法および装置がある。この制御方法では、画像の元情報に対する透かし印刷などの付加情報とその配置の仕方とを指定し、この付加情報が、指定された条件で元情報に付加して印刷される。従って、オペレータは、付加情報のレイアウトを概念的に指定するのみで、最適にレイアウトできる。
【０００５】
【発明が解決しようとする課題】
上述した従来の複写システムでは、次のような問題点がある。
【０００６】
第１の特開昭５８−２１７８１号公報に開示された処理システムは、コンピュータの処理を簡便化するものであって、合成する画像に対してマークを必要とするのみならず、複写機であるプリンタの複雑化は免れないという問題点がある。
【０００７】
また、第２の特開平３−６５９６８号公報に開示された情報記録装置は、二つの画像を合成する際の画像識別を容易にしてオペレータの合成作業を迅速にするものであって、二つの画像情報の露光量を相対的に変化させる露光量可変手段が必要であり、記録装置の複雑化は免れないという問題点がある。
【０００８】
更に、第３の特開平２０００−２５２７８号公報に開示された印刷制御方法はオペレータのレイアウトを容易にするものであって、画像の元情報に対する追加情報の配置の仕方を概念的に指定するのみであるが、このための複雑な制御を実行するホストコンピュータを必要とするという問題点がある。
【０００９】
本発明の課題は、このような問題点を解決し、単純に合成できる二つの画像データを入力し、基本の画像データに透かしデータを簡単でかつ容易に合成できる複写システムを提供することである。
【００１０】
【課題を解決するための手段】
本発明による複写システムは、画像データを登録データとして格納する記憶部と、画像データを受けて印刷出力する印刷部と、第１および第２の二つの画像データを受けて所定位置に合成した合成データを作成する画像合成部と、受けた画像データに透かし処理を施行する透かし処理部と、前記第１の画像データを受けた際には前記登録データとして前記記憶部に登録して格納し、透かし処理要求を伴った画像データを受けた際には当該画像データを前記透かし処理部により透かし処理を行って前記第１の画像データに作成して前記記憶部に登録格納し、前記第２の画像データを受けた際には前記記憶部から前記登録データを読み出し，当該登録データを受けた第２の画像データと共に前記画像合成部へ送り、返送された合成データを第３の画像データとして前記印刷部へ送る制御部とを備えている。
【００１１】
この構成によれば、二つの画像データをスキャナから取り込む場合、第１の画像データと第２の画像データとを連続操作により記録して取り込むことにより、プリンタで二つを合成した一つの第３の画像データを印刷出力することができる。この際、第１の画像データが記憶部に登録格納されているので、複数の第２の画像データに同一の第１の画像データを連続して合成し印刷出力できる。
【００１２】
また更に、受けた画像データに透かし処理を施行する透かし処理部を備えた場合、前記制御部は、透かし処理要求を伴った画像データを受けた際には当該画像データを前記透かし処理部により透かし処理を行って前記第１の画像データに作成して前記記憶部に登録し格納することができる。
【００１３】
従って、第１の画像データを透かしデータに作成することにより第２の画像データに透かしデータを埋め込んだ画像を簡単に容易に印刷することができる。
【００１４】
また、制御部は、前記画像データを、情報処理装置およびスキャナのいずれか一方から受けることができる。従って、複雑な画像データまたは新たに作成する画像データはコンピュータ処理が望ましく、他方、印刷済みの画像をそのまま利用する場合はスキャナ処理で簡単に済ますことができる。
【００１５】
また、制御部は、登録処理要求の指定を伴って受けた画像データを前記第１の画像として前記記憶部に登録し格納し、かつ、基本原稿読込み要求の指定を伴って受けた画像を前記第２の画像データとすることができる。
【００１６】
従って、透かしデータの登録データを用いて基本データの画像に透かしデータの画像を埋め込むことができ、複数の基本画像それぞれに同一の透かしを埋め込むことができ、かつ、例えば複数の透かしデータの中から一つを選択して、基本データの画像に埋め込むことが出きる。
【００１７】
【発明の実施の形態】
次に、本発明の実施の形態について図面を参照して説明する。
【００１８】
図１は本発明の実施の一形態を示すブロック図である。図１に示された複写システムはスキャナ１０とスキャナ１０に接続されるプリンタ２０とにより一体化構成されている。スキャナ１０で読み込まれた画像データをプリンタ２０が印刷出力、またはプリンタ２０が記憶した後に印刷出力できる。図１では、スキャナ１０とプリンタ２０とが分離され、上述した制御部も分割されており、ケーブルで接続されているが、同一筐体による一体化構造であってもよい。
【００１９】
図２は、図１に示されるブロックの内部構成における詳細の一形態を示す機能ブロック図である。図示される機能は、本発明に関する機能のみであり、例えば装置の動作状態を表示するランプまたは文字表示など、装置として必要な機能であっても図示を省略した。
【００２０】
スキャナ１０は入力部１１、操作パネル１２、記録制御部１３、およびデータ出力部１４を有するものとする。プリンタ２０はデータ入力部２１、複写制御部２２、記憶部２３、透かし処理部２４、画像合成部２５、印刷部２６および表示パネル２７を有するものとする。
【００２１】
スキャナ１０の入力部１１は、通常、ＣＣＤ（電荷結合素子）などの撮像素子を備え、所定位置にセットされた原稿を記録制御部１３の制御により読み取る。操作パネル１２は、ユーザが各種設定および指示を行うもので、記録制御部１３に入力部１１における読取りの指示、および読み取った画像データをプリンタへ出力する指示、並びに記録制御部１３を介してプリンタ２０における設定または処理する指示、それぞれを記録制御部１３へ送出する。
【００２２】
記録制御部１３は、ＣＰＵと、スキャナ１０の各種プログラムと、受けるデータを一時記憶することが出きるＲＡＭとを内蔵しているものとする。記録制御部１３は、操作パネル１２の指示を受けて入力部１１にセットされた原稿の画面を画面データとして読み取り、データ出力部１４を介して読み取った画像データをプリンタ２０へ送出する。また、記録制御部１３は、データ出力部１４を介して操作パネル１２から受けるプリンタ２０に対する指示を要求データとして送出するものとする。データ出力部１４はプリンタ２０に対するインタフェース部である。
【００２３】
プリンタ２０のデータ入力部２１は、スキャナ１０とのインタフェース部である。上述した第１の画像データは記憶部２３に格納された画像データであり、以後、登録データと呼称する。第２の画像データは、記憶部２３に格納されずに印刷出力される画像データであり、以後、基本データと呼称する。また、第３の画像データは、第１の画像データと第２の画像データとを画像合成部２５で合成された画像データであり、以後、合成データと呼称する。
【００２４】
複写制御部２２は、ＣＰＵと、プリンタ２０の各種プログラムと、データを一時記憶するＲＡＭとを内蔵しているものとする。透かし処理要求の指示があった場合、複写制御部２２は、データ入力部２１から最初に入力する画像データを透かし用元原稿の画像データとして透かし処理部２４により透かし処理を施し透かしデータを作成して記憶部２３に格納し登録データとする。複写制御部２２は、以降に入力する画像データを基本原稿による基本データと判断する。
【００２５】
複写制御部２２は、基本データを受けた際には記憶部２３に格納された透かしデータを読み取り、画像合成部２５により基本データと透かしデータとを合成し合成データとして透かし埋め込みデータを作成し、印刷部２６により印刷出力するものとする。また、複写制御部２２は指示された画像データを表示パネル２７へ画面表示などの制御を行うものとする。
【００２６】
記憶部２３では、複写制御部２２の制御により、登録データとして透かしデータが格納されかつ取り出される。透かし処理部２４は複写制御部２２の制御を受け一時記憶された画像データを透かし処理し透かしデータを作成して出力する。画像合成部２５は複写制御部２２の制御を受け基本データと透かしデータとを合成して出力する。印刷部２６は複写制御部２２の制御を受け受ける画像データをセットされた用紙に印刷する。表示パネル２７は、スキャナ１０から受ける指示に従った画像データ、または複写制御部２２の処理結果を示す画像データを画面表示するものとする。
【００２７】
次に、図３に図２を併せ参照して一つの画像に透かしデータ（ウォーターマーク）を埋め込む際の画像の一実施例について説明する。
【００２８】
透かしデータとなる元原稿画像３１を有する元原稿は、入力部１１でセットされ、操作パネル１２からの指示によりスキャナ１０で画像データにより読み込まれる。透かし画像３２は、透かし処理部２４により、元原稿画像３１の画像データを処理して透かしデータに作成されたのち、記憶部２３に格納される。透かしデータを埋め込む基本画像３３を有する基本原稿は、入力部１１に配置され、操作パネル１２からの指示によりスキャナ１０で基本データとして読み込まれる。透かしデータを埋め込んだ埋め込み画像３４は、画像合成部２５により、記憶部２３に格納された透かし画像３２の透かしデータと、入力した基本画像３３の基本データとを合成して作成される。
【００２９】
次に、図４に図２および図３を併せ参照して透かしデータの登録手順について説明する。
【００３０】
ユーザは、透かしとして埋め込む透かし画像３２を有する透かし用元原稿をスキャナ１０の入力部１１に予め配置する。
【００３１】
スキャナ１０では、記録制御部１３が、操作パネル１２から透かし処理要求を受付け（手順Ｓ１）し、例えばスタートボタンの押し操作により透かし用元原稿の読込み指示を受付け（手順Ｓ２）した際、透かし用元原稿が所定位置に配置されていることを入力部１１が検出（手順Ｓ３）する。
【００３２】
次いで、記録制御部１３は、入力部１１を制御して元原稿画像３１の画像データを透かし用原稿データとして読込み（手順Ｓ４）する。読込みを終了した後、記録制御部１３は、読み込んだ透かし用原稿データを透かし処理の要求データと共にデータ出力部１４を介してプリンタ２０へ送出（手順Ｓ５）する。
【００３３】
プリンタ２０では、複写制御部２２が、データ入力部２１を介してスキャナ１０から元原稿画像３１の画像データである透かし用原稿データと共に透かし処理の要求データを入力データとして受付け（手順Ｓ６）する。従って、複写制御部２２は、受けた透かし用原稿データを透かし処理部２５に送って透かし処理（手順Ｓ７）を行い、透かしデータとして透かし画像３２の画像データを作成し、登録データとして記憶部２３に格納（手順Ｓ８）する。複写制御部２２は格納した透かしデータを透かし画像３２により表示パネル２７に画面表示（手順Ｓ９）するので、ユーザはこれを確認することができる。
【００３４】
次いで、図４に続く図５に図２および図３を併せ参照して透かしデータの埋め込み印刷手順について説明する。
【００３５】
図４の手順Ｓ９で、表示パネル２７に登録データである透かしデータが透かし画像３２により画面表示されるので、ユーザは、この透かし画像３２を埋め込むコピー原稿として、基本原稿をスキャナ１０の入力部１１に予め配置する。
【００３６】
スキャナ１０では、記録制御部１３が、例えばスタートボタンにより操作パネル１２から基本原稿の読込み要求を受付け（手順Ｓ１１）する。次いで、記録制御部１３は、入力部１１に基本原稿が設置されたことを検出（手順Ｓ１２）した際に、入力部１１を制御して基本画像３３による基本原稿データを画像データとして読込み（手順Ｓ１３）して基本データを作成する。次いで、記録制御部１３は、データ出力部１４を介してプリンタ２０へ基本原稿の読込み要求データおよび読み込んだデータを送出（手順Ｓ１４）する。
【００３７】
プリンタ２０では、複写制御部２２が、データ入力部２１を介してスキャナ１０から入力データとして基本原稿の読込み要求データを基本画像３３の画像データと共に受付け（手順Ｓ１５）する。ここで、複写制御部２２は、既に記憶部２３に格納されており上記手順Ｓ９で画面表示中の透かしデータと入力された基本データとを画像合成部２５へ送る。画像合成部２５は、画像合成（手順Ｓ１６）を行い合成データとして埋め込み画像３４を作成して、表示パネル２７に画面表示（手順Ｓ１７）する。従って、ユーザはこの合成結果を確認することができる。次いで、複写制御部２２は、合成データを印刷部２４へ送り、印刷部２４が透かし画像３２が埋め込まれた基本画像の埋め込み画像３４を印刷出力（手順Ｓ１９）する。
【００３８】
（他の実施の形態）
次に，図６を参照して図２と異なる実施の一形態について説明する。
【００３９】
図６が図２と相違する点は、プリンタ２０Ｅであり、プリンタ２０Ｅはデータ入力部２１、複写制御部２２Ｅ、記憶部２３Ｅ、透かし処理部２４、画像合成部２５、印刷部２６および表示パネル２７を有している。従って、複写制御部２２Ｅおよび記憶部２３Ｅが相違している。他のブロックは，図２を参照して説明した同一名称のブロックと機能が同一でありその番号符号も同一に付与し、その説明は省略する。
【００４０】
プリンタ２０の複写制御部２２Ｅは、ＣＰＵと、プリンタ２０の各種プログラムと、データを一時記憶するＲＡＭとを内蔵しているものとする。複写制御部２２Ｅは、データ入力部２１からの入力データを一時記憶して解析し、登録データを記憶部２３Ｅに格納し、印刷部２４を制御して画像データを印刷出力する。また、複写制御部２２Ｅは、入力される基本データと記憶部２３Ｅに格納される登録データとを画像合成部２５へ送り合成処理して作成した合成データを一時記憶して印刷出力する。また、複写制御部２２Ｅは、入力する画像データを透かし処理部２６により透かし処理し、指示された画像データを表示パネル２７へ画面表示するなどの制御を行うものとする。詳細は、後にフローチャートを参照して説明する。
【００４１】
記憶部２３Ｅでは、複写制御部２２Ｅの制御により、登録指示を受けた際に受けた画像データが識別符号となるインデックスを付して格納され、読取指示を受けた際に指定されたインデックスを有する画像データが取り出される。記憶部２３Ｅに格納される画像データは透かしデータを含む登録データである。
【００４２】
次に、図７にに図６および図３を併せ参照して透かしデータの登録手順について説明する。
【００４３】
ユーザは、透かしとして埋め込む透かし画像３２を有する透かし用元原稿をスキャナ１０の入力部１１に予め配置する。
【００４４】
スキャナ１０では、記録制御部１３が、操作パネル１２からの登録用インデックスを有する透かし処理要求を受付け（手順Ｓ２１）し、例えばスタートボタンの押し操作により透かし用元原稿の読込み指示を受付け（手順Ｓ２２）した際、透かし用元原稿が所定位置に配置されていることを入力部１１が検出（手順Ｓ２３）する。
【００４５】
次いで、記録制御部１３は、入力部１１を制御して元原稿画像３１の画像データを透かし用原稿データとして読込み（手順Ｓ２４）する。読込みを終了した後、記録制御部１３は、読み込んだ透かし用原稿データを、登録用インデックスを有する透かし処理の要求データと共にデータ出力部１４を介してプリンタ２０へ送出（手順Ｓ２５）する。
【００４６】
プリンタ２０では、複写制御部２２Ｅが、データ入力部２１を介してスキャナ１０から元原稿画像３１の画像データである透かし用原稿データと共に登録用インデックスを有する透かし処理の要求データを入力データとして受付け（手順Ｓ２６）する。従って、複写制御部２２Ｅは、受けた透かし用原稿データを透かし処理部２５に送って透かし処理（手順Ｓ２７）を行い、透かしデータとして透かし画像３２の画像データを作成し、登録データとし記憶部２３Ｅで登録用インデックスに対応して格納（手順Ｓ２８）する。複写制御部２２Ｅは登録した透かしデータを透かし画像３２により表示パネル２７に画面表示（手順Ｓ２９）するので、ユーザはこれを確認することができる。
【００４７】
次に、図８に図６および図３を併せ参照して原稿画像データの登録手順について説明する。図８では，図７での「透かし」が「登録」に変更されており「透かし処理」はない。
【００４８】
ユーザは、コピー原稿となる基本画像３３を有する登録用原稿をスキャナ１０の入力部１１に予め配置する。
【００４９】
スキャナ１０では、記録制御部１３が、操作パネル１２からの登録用インデックスを有する登録処理要求を受付け（手順Ｓ３１）し、例えばスタートボタンの押し操作により登録用原稿の読込み指示を受付け（手順Ｓ３２）した際、登録用原稿が所定位置に配置されていることを入力部１１が検出（手順Ｓ２３）する。
【００５０】
次いで、記録制御部１３は、入力部１１を制御して基本画像３３の画像データを登録原稿データとして読込み（手順Ｓ３４）して登録データを作成する。読込みを終了した後、記録制御部１３は、読み込んだ登録データを、登録用インデックスを有する登録処理の要求データと共にデータ出力部１４を介してプリンタ２０へ送出（手順Ｓ３５）する。
【００５１】
プリンタ２０では、複写制御部２２Ｅが、データ入力部２１を介してスキャナ１０から基本画像３３の画像データである登録データと共に登録用インデックスを有する登録処理の要求データを入力データとして受付け（手順Ｓ３６）する。従って、複写制御部２２Ｅは、受けた登録データを記憶部２３Ｅで登録用インデックスに対応して格納（手順Ｓ３７）する。複写制御部２２Ｅは格納した登録データを基本画像３３により表示パネル２７に画面表示（手順Ｓ３８）するので、ユーザはこれを確認することができる。
【００５２】
次に、図９に図６および図３を併せ参照して記憶部２３Ｅに格納された登録データ（または透かしデータ）の呼出し手順について説明する。
【００５３】
スキャナ１０では、記録制御部１３が、操作パネル１２から登録（透かし）データの呼出しデータとしてインデックスを有する呼出し要求の入力を受付け（手順Ｓ４１）した際には、直ちに、データ出力部１４を介して受け付けた呼出しデータをプリンタ２０へ送出（手順Ｓ４２）する。
【００５４】
プリンタ２０では、複写制御部２２Ｅがスキャナ１０からデータ入力部２１を介して呼出しデータを受付け（手順Ｓ４３）し、この呼出しデータに含まれるインデックスにより記憶部２３Ｅから所望される登録（透かし）データを読取り（手順Ｓ４４）する。複写制御部２２Ｅは、読み取った画像データを表示パネル２７に呼出された画像データとして、例えば基本原稿３３（または透かし原稿３２）の画像により画面表示（手順Ｓ４５）できる。
【００５５】
次いで、図９に続く図１０に図６および図３を併せ参照して登録（透かし）データの合成印刷手順について説明する。ここでは、登録データを紙面の背景となる絵柄画像であるものとする。
【００５６】
図９の手順Ｓ４５で、表示パネル２７に登録データが背景の絵柄画像により画面表示されるので、ユーザは、この絵柄画像に嵌め込むコピー原稿として、基本原稿をスキャナ１０の入力部１１に予め配置する。
【００５７】
スキャナ１０では、記録制御部１３が、例えばスタートボタンにより操作パネル１２から基本原稿の読込み要求を受付け（手順Ｓ５１）する。次いで、記録制御部１３は、入力部１１に基本原稿が設置されたことを検出（手順Ｓ５２）した際に、入力部１１を制御して基本画像３３による基本原稿データを画像データとして読込み（手順Ｓ５３）して基本データを作成する。次いで、記録制御部１３は、データ出力部１４を介してプリンタ２０へ基本原稿の読込み要求データおよび読み込んだデータを送出（手順Ｓ５４）する。
【００５８】
プリンタ２０では、複写制御部２２Ｅが、データ入力部２１を介してスキャナ１０から入力データとして基本原稿の読込み要求データを基本画像３３の画像データと共に受付け（手順Ｓ５５）する。ここで、複写制御部２２Ｅは、既に記憶部２３Ｅに格納されており上記手順Ｓ４５で絵柄画像により画面表示中の登録データと入力された基本データとを画像合成部２５へ送る。画像合成部２５は、画像合成（手順Ｓ５６）を行い合成データとして基本画像３３に登録データによる背景を有する画像を作成して、表示パネル２７に画面表示（手順Ｓ５７）する。従って、ユーザはこの合成結果を確認することができる。次いで、複写制御部２２Ｅは、合成データを印刷部２４へ送り、印刷部２４が基本画像３３に登録データによる背景を有する画像を印刷出力（手順Ｓ５８）する。
【００５９】
複数の基本原稿があり，連続して同一登録データにより合成し印刷出力する際には、ユーザが次の原稿を配置（手順Ｓ５９のＹＥＳ）するので、手順は上記手順Ｓ５１に戻り繰り返される。手順Ｓ５９が「ＮＯ」で次の基本原稿がない場合には、手順は終了する。
【００６０】
上述したように、図６に示される記憶部２３Ｅでは、透かしデータを含み、複数の登録データがそれぞれインデックスを持って格納されているので、複数の登録データの中から図９の呼出し手順により任意の一つの登録データを呼出し、図１０の合成手順により基本原稿に合成することが容易に簡単に可能となる。
【００６１】
一方、従来のように、基本原稿を合成することなしで印刷出力する場合には、図６で「登録」を「印刷」に変更し、手順Ｓ３１でインデックスを削除し、手順Ｓ３７以降が印刷データの画面表示および印刷出力野手順に変更される。
【００６２】
また、記憶部に格納済みの画像データを印刷する場合には、図９で「呼出し要求」を「印刷要求」とすることにより手順Ｓ４５に続いて読取りデータの印刷出力の手順が追加される。
【００６３】
上記説明では、透かし処理部をプリンタに備えているがスキャナ側に備えてもよい。この構成の場合には、記録制御部が操作パネルから透かし処理要求を受けた際に透かし処理部を制御して透かしデータを第１の画像データとして作成しプリンタに送出するので、プリンタは第１の画像データを自己で作成することなく第１および第２の画像データを両者共スキャナから受けることができる。
【００６４】
上記説明では、図１および図２を参照して説明したように、スキャナとプリンタとが分離されており、インタフェース部を介してケーブル接続されているが、同一筐体による一体化構造であってもよく、従って、インタフェース部における通信プロトコルは限定されるものではない。このような構造では、記録制御部および複写制御部は一つの制御部により両者のプログラムを処理することができるので、制御が簡素化される。
【００６５】
他方、図２に示されるスキャナおよびプリンタをホストコンピュータまたはパーソナルコンピュータなどの情報処理装置に接続する場合には操作パネルおよび表示パネルに情報処理装置に備わるパネルを用いることができると共に制御部の処理はコンピュータで処理できるので、より複雑な制御を容易に実現することができる。記憶部も、外付けの大規模な記憶装置であってよい。透かしデータのように、各種のコピー原稿に埋め込む多様なデータを作成しまたは記憶する場合に便利である。
【００６６】
本発明では、合成する二つの画像データの大きさおよびレイアウトについて触れない。しかしながら、本発明には従来開示された各種の技術を併用することができるので、これら技術を加えて広い分野に応用することが可能である。
【００６７】
【発明の効果】
以上説明したように本発明によれば制御部が、第１の画像データを記憶部に記憶して、第２の画像データを受けた際に第１の画像データを第２の画像データに合成し印刷することにより、複数の第２の画像データに第１の画像データを簡単に順次合成できるという効果が得られる。
【００６８】
また、第１の画像データとして最初に入力する画像データを透かし処理して記憶することにより、透かしの埋め込み画像が容易に印刷できるという効果を得ることができる。
【図面の簡単な説明】
【図１】本発明の対象となる一形態を示すブロック図である。
【図２】本発明の実施の一形態を示す機能ブロック図である。
【図３】本発明が対象とする主要画像の一形態を示す画像図である。
【図４】図２における透かしデータの読み込み手順の一形態を示すフローチャートである。
【図５】図２における透かしデータの埋め込み印刷手順の一形態を示すフローチャートである。
【図６】本発明の図２とは別の実施の一形態を示す機能ブロック図である。
【図７】図６における透かしデータ登録手順の一形態を示すフローチャートである。
【図８】図６における原稿画像データ登録手順の一形態を示すフローチャートである。
【図９】図６における登録データ呼出し手順の一形態を示すフローチャートである。
【図１０】図６における登録データ合成印刷手順の一形態を示すフローチャートである。
【符号の説明】
１０    スキャナ
１１    入力部
１２    操作パネル
１３    記録制御部
１４    データ出力部
２０、２０Ｅ    プリンタ
２１    データ入力部
２２、２２Ｅ    複写制御部
２３、２３Ｅ    記憶部
２４    透かし処理部
２５    画像合成部
２６    印刷部
２７    表示パネル部
３１    元原稿画像
３２    透かし画像
３３    基本画像
３４    埋め込み画像
【図１】
0003599098.tif 000002
【図２】
0003599098.tif 000003
【図３】
0003599098.tif 000004
【図４】
0003599098.tif 000005
【図５】
0003599098.tif 000006
【図６】
0003599098.tif 000007
【図７】
0003599098.tif 000008
【図８】
0003599098.tif 000009
【図９】
0003599098.tif 000010
【図１０】
0003599098.tif 000011